(57)【特許請求の範囲】
【請求項１】
歯科用治療椅子（１）の背もたれ（８）の、前面にセットしその背面板（８’)に着脱自在に止着する止着バンド（１７）を具備し、前方向に伸縮性を持つ袋状のサポートバック（２）を備えてなり、
該サポートバック（２）の内部には、複数の膨張縮小自在のエアバック（３）が、左右及び上中下の区画内に配設され、
複数の前記エアバック（３）は、上部接着部（２０）でカバー（１９）に、また底部接着部（２１）でサポートバックの背板（１６）にそれぞれ接着され、一隅に過剰エア排出器（５３）を有し、さらにエア出入り口（７’）に固設されたエア導入及び排出兼用のエアチューブ（７）を有し、また該エアチューブ（７）の延長先に接続される、幹線エアチューブ（５）から分岐された分岐エアチューブを介してエアを導入するためのエア導入調整用の開閉電磁弁（３４，３７，４０，４３，４６，４９）と逆洩れ防止用の逆止弁（３５，３８，４１，４４，４７，５０）及び排気用の開閉電磁弁（３６，３９，４２，４５，４８，５１）を有してなり、
さらに、前記サポートバック（２）の下部には、前記、幹線エアチューブ（５）及び、前記各エアバック（３）にエアを供給する前記分岐エアチューブと、前記エア導入調整用の開閉電磁弁（３４，３７，４０，４３，４６，４９）及び前記逆止弁（３５，３８，４１，４４，４７，５０）と、前記排気用の開閉電磁弁（３６，３９，４２，４５，４８，５１）及び、制御用信号線（２２）を収納するエア分配器（４）を備えてなり、
そして、前記歯科用治療椅子（１）の外部に前記エア導入調整用の開閉電磁弁（３４，３７，４０，４３，４６，４９）と、前記排気用の開閉電磁弁（３６，３９，４２，４５，４８，５１）を制御する複数の２極型のＯＮ、ＯＦＦスイッチ（２６〜３１）及び、エア幹線開閉用電磁弁（５２）の幹線用ＯＮ、ＯＦＦスイッチ（３２，３３）を収納する操作ボックス（６）を備えてなり、
前記エア分配器（４）内の複数の前記エア導入調整用開閉電磁弁（３４，３７，４０，４３，４６，４９）の片側は、前記幹線エアチューブ（５）に並列に接続され、他の片側は、逆止弁（３５，３８，４１，４４，４７，５０）を介して前記エア分配器（４）より導出され、
また、前記幹線エアチューブ（５）は、エア幹線用の開閉電磁弁（５２）を経由して、前記歯科用治療椅子（１）のエア供給部に接続され、
さらに、前記エア分配器（４）内の前記制御用信号線（２２）は、多芯ケーブルでエア分配器（４）から導出されて、前記歯科用治療椅子（１）の外部に配設された前記操作ボックス（６）に接続されてなり、
そして、前記サポートバック（２）内の各エアバック（３）を調節する動力源は、前記歯科用治療椅子（１）に常設されているエアであり、
前記エア幹線用の開閉電磁弁（５２）をＯＮ、ＯＦＦする幹線用ＯＮ、ＯＦＦスイッチ（３２，３３）及び所要の前記エア導入調整用の開閉電磁弁（３４，３７，４０，４３，４６，４９）をＯＮ、ＯＦＦする２極型のスイッチ(２６〜３１）を個々に操作することにより、
サポートバック（２）内の対応する各エアバック（３）を膨張又は縮小させて、患者に当接する背もたれ（８）の各部分を調節することができることを特徴とする歯科用治療椅子。
【発明の詳細な説明】
【技術分野】
【０００１】
歯科用治療椅子に係り、特に背もたれに着脱自在に着設し、患者の体型に合わせて背もたれのフィットする位置が自由に調節できるエアバックを備えたサポートバックに関する。
【背景技術】
【０００２】
従来、特に高齢者を対象とし２つに分割した背もたれを上下に移動させて、患者にフィットさせるように調整できる歯科用治療椅子が開示されている。
【非特許文献１】９８’モリタ機器総合カタログ（ＤＥＮＴＡＬ  ＥＱＵＩＰＭＥＮＴ９頁）ＣＨＡＩＲ−ＵＮＩＴ  シグノ  ＧＲ  Ｓ２１（平成１０年９月、株式会社モリタ発行）
【発明の開示】
【発明が解決しようとする課題】
【０００３】
しかし、前記歯科用治療椅子は、特殊仕様で用途が限定され一般性がなく、かつ調整は手動のため面倒であった。また背もたれ各部の左右傾斜の設定はできなかった。
【課題を解決するための手段】
【０００４】
上記に鑑み本発明者等は鋭意実験研究の結果、次の手段によりこの課題を解決した。
（１）歯科用治療椅子（１）の背もたれ（８）の、前面にセットしその背面板（８’)に着脱自在に止着する止着バンド（１７）を具備し、前方向に伸縮性を持つ袋状のサポートバック（２）を備えてなり、該サポートバック（２）の内部には、複数の膨張縮小自在のエアバック（３）が、左右及び上中下の区画内に配設され、複数の前記エアバック（３）は、上部接着部（２０）でカバー（１９）に、また底部接着部（２１）でサポートバックの背板（１６）にそれぞれ接着され、一隅に過剰エア排出器（５３）を有し、さらにエア出入り口（７’）に固設されたエア導入及び排出兼用のエアチューブ（７）を有し、また該エアチューブ（７）の延長先に接続される、幹線エアチューブ（５）から分岐された分岐エアチューブを介してエアを導入するためのエア導入調整用の開閉電磁弁（３４，３７，４０，４３，４６，４９）と逆洩れ防止用の逆止弁（３５，３８，４１，４４，４７，５０）及び排気用の開閉電磁弁（３６，３９，４２，４５，４８，５１）を有してなり、さらに、前記サポートバック（２）の下部には、前記、幹線エアチューブ（５）及び、前記各エアバック（３）にエアを供給する前記分岐エアチューブと、前記エア導入調整用の開閉電磁弁（３４，３７，４０，４３，４６，４９）及び前記逆止弁（３５，３８，４１，４４，４７，５０）と、前記排気用の開閉電磁弁（３６，３９，４２，４５，４８，５１）及び、制御用信号線（２２）を収納するエア分配器（４）を備えてなり、そして、歯科用治療椅子（１）の外部に前記エア導入調整用の開閉電磁弁（３４，３７，４０，４３，４６，４９）と、前記排気用の開閉電磁弁（３６，３９，４２，４５，４８，５１）を制御する複数の２極型のＯＮ、ＯＦＦスイッチ（２６〜３１）及び、エア幹線開閉用電磁弁（５２）の幹線用ＯＮ、ＯＦＦスイッチ（３２，３３）を収納する操作ボックス（６）を備えてなり、前記エア分配器（４）内の複数の前記エア導入調整用開閉電磁弁（３４，３７，４０，４３，４６，４９）の片側は、前記幹線エアチューブ（５）に並列に接続され、他の片側は、逆止弁（３５，３８，４１，４４，４７，５０）を介して前記エア分配器（４）より導出され、また、前記幹線エアチューブ（５）は、エア幹線用の開閉電磁弁（５２）を経由して、前記歯科用治療椅子（１）のエア供給部に接続され、さらに、前記エア分配器（４）内の制御用信号線（２２）は、多芯ケーブルでエア分配器（４）から導出されて、前記歯科用治療椅子（１）の外部に配設された前記操作ボックス（６）に接続されてなり、そして、前記サポートバック（２）内の各エアバック（３）を調節する動力源は、前記歯科用治療椅子（１）に常設されているエアであり、前記エア幹線用の開閉電磁弁（５２）をＯＮ、ＯＦＦする幹線用ＯＮ、ＯＦＦスイッチ（３２，３３）及び所要の前記エア導入調整用の開閉電磁弁（３４，３７，４０，４３，４６，４９）をＯＮ、ＯＦＦする２極型のスイッチ(２６〜３１）を個々に操作することにより、サポートバック（２）内の対応する各エアバック（３）を膨張又は縮小させて、患者に当接する背もたれ（８）の各部分を調節することができることを特徴とする歯科用治療椅子。
【発明の効果】
【０００５】
本発明によれば、
１、上記に鑑み本発明者等は鋭意実験研究の結果、次の手段によりこの課題を解決した。
（１）歯科用治療椅子（１）の背もたれ（８）の、前面にセットしその背面板（８’)に着脱自在に止着する止着バンド（１７）を具備し、前方向に伸縮性を持つ袋状のサポートバック（２）を備えてなり、該サポートバック（２）の内部には、複数の膨張縮小自在のエアバック（３）が、左右及び上中下の区画内に配設され、複数の前記エアバック（３）は、上部接着部（２０）でカバー（１９）に、また底部接着部（２１）でサポートバックの背板（１６）にそれぞれ接着され、一隅に過剰エア排出器（５３）を有し、さらにエア出入り口（７’）に固設されたエア導入及び排出兼用のエアチューブ（７）を有し、また該エアチューブ（７）の延長先に接続される、幹線エアチューブ（５）から分岐された分岐エアチューブを介してエアを導入するためのエア導入調整用の開閉電磁弁（３４，３７，４０，４３，４６，４９）と逆洩れ防止用の逆止弁（３５，３８，４１，４４，４７，５０）及び排気用の開閉電磁弁（３６，３９，４２，４５，４８，５１）を有してなり、さらに、前記サポートバック（２）の下部には、前記、幹線エアチューブ（５）及び、前記各エアバック（３）にエアを供給する前記分岐エアチューブと、前記エア導入調整用の開閉電磁弁（３４，３７，４０，４３，４６，４９）及び前記逆止弁（３５，３８，４１，４４，４７，５０）と、前記排気用の開閉電磁弁（３６，３９，４２，４５，４８，５１）及び、制御用信号線（２２）を収納するエア分配器（４）を備えてなり、そして、歯科用治療椅子（１）の外部に前記エア導入調整用の開閉電磁弁（３４，３７，４０，４３，４６，４９）と、前記排気用の開閉電磁弁（３６，３９，４２，４５，４８，５１）を制御する複数の２極型のＯＮ、ＯＦＦスイッチ（２６〜３１）及び、エア幹線開閉用電磁弁（５２）の幹線用ＯＮ、ＯＦＦスイッチ（３２，３３）を収納する操作ボックス（６）を備えてなり、前記エア分配器（４）内の複数の前記エア導入調整用開閉電磁弁（３４，３７，４０，４３，４６，４９）の片側は、前記幹線エアチューブ（５）に並列に接続され、他の片側は、逆止弁（３５，３８，４１，４４，４７，５０）を介して前記エア分配器（４）より導出され、また、前記幹線エアチューブ（５）は、エア幹線用の開閉電磁弁（５２）を経由して、前記歯科用治療椅子（１）のエア供給部に接続され、さらに、前記エア分配器（４）内の制御用信号線（２２）は、多芯ケーブルでエア分配器（４）から導出されて、前記歯科用治療椅子（１）の外部に配設された前記操作ボックス（６）に接続されてなり、そして、前記サポートバック（２）内の各エアバック（３）を調節する動力源は、前記歯科用治療椅子（１）に常設されているエアであり、前記エア幹線用の開閉電磁弁（５２）をＯＮ、ＯＦＦする幹線用ＯＮ、ＯＦＦスイッチ（３２，３３）及び所要の前記エア導入調整用の開閉電磁弁（３４，３７，４０，４３，４６，４９）をＯＮ、ＯＦＦする２極型のスイッチ(２６〜３１）を個々に操作することにより、サポートバック（２）内の対応する各エアバック（３）を膨張又は縮小させて、患者に当接する背もたれ（８）の各部分を調節することができる歯科治療用（１）であるため、
【０００６】
施術者は治療に先立って袋状のサポートバックを歯科用治療椅子の背もたれにセットすれば、特殊体型の患者、例えば、背骨が前屈したり、左右のバランスが崩れた高齢者等の体型に合わせて、背中に当接する複数の個所のエアバックをリモコン操作により凸凹（膨張・縮小）させて、フィットさせることができる。
また、例えば、背の低い幼児等には上段左右のエアバックを膨張させ、他を縮小させてヘッドレストとして使用することができる。
エアバック（３）は、上部接着部（２０）でカバー（１９）に、また底部接着部（２１）でサポートバックの背板（１６）にそれぞれ接着されているので、ずれが生ずることはなく、エアを排気したときはカバー（１９）はエアバックの凹みに追随する。
さらに、操作スイッチによる各エアバックの調整は容易である。
そして、使用しない時は、全部のエアバックを縮小するか、あるいはサポートバック全体を取り外すことができる。
また、サポートバック内のエアバックを調節する動力源が、歯科用治療椅子に常設されているエアであるため、分岐して容易にサポートバックに接続することができる。
【発明を実施するための最良の形態】
【０００７】
発明を実施するための最良の形態を図面に基づいて以下に説明する。
図１はサポートバック装着時の歯科用治療椅子の外観斜視図である。
図において、１はサポートバック装着時の歯科用チェアユニット、２はサポートバック、３はエアバック、４はエア分配器、５は幹線エアチューブ、６は操作ボックス、７はエアチューブ、８は背もたれ、９はヘッドレスト、１０は座部、１１は足掛け、１２はスピットン、１３はライトポール、１４はアシスタント用テーブル、１５はブラケットテーブル、１７は止着バンド、１９はカバー、２２は制御信号線を示す。
【０００８】
図２は、サポートバックを背もたれにセットしたときの外観図で、
（イ）は正面図、（ロ）は右側面図、（ハ）は下面図、（ニ）は背面図である。
図において、４’は分配器コネクタ、８’は背面板、１６はサポートバックの背板、  １８は着脱具、２３は制御線コネクタを示す。
図示したように、サポートバック２は、歯科用治療椅子１の背もたれ８の前面にセットし、止着バンド１７を背もたれ８の背面板の後ろに回して着脱具１８によって締着する。
また、締着されたサポートバック２の下部には、複数のエアバック３から延出されている複数のエアチューブ７及び調整用の開閉電磁弁を収納するエア分配器４が配設されており（図６、７、８）、ここから幹線エアチューブ５を経由して歯科用治療椅子のエア供給部（図示せず）及び、制御信号線２２を経由してスピットン１２の側面に掛止された操作ボックス６に接続されている（図１）。
【０００９】
以下個々の器具について構造と作用について説明する。
図３はサポートバック単体の外観図で、
（イ）は平面図、（ロ）は左側面図、（ハ）は正面図、（ニ）は右側面図、（ホ）は下面図（ヘ）は背面図である。
前記図３に示したサポートバックの外観図に示したように、
外観はチェアユニットニットの背もたれ８に合わせて内側に湾曲したサポートバックの背板１６と、その外側に配設された止着バンド１７及びその先端の着脱具１８と、エア分配器４と、幹線エアチューブ７を着脱するための分配器コネクタ４’と、制御線コネクタ２３及び、後記内設されたエアバック３を被覆する伸縮性を有するカバー１９を備えている。
なお、材質は前記サポートバックの背板１６は合成樹脂、カバー１９は柔軟で伸縮性を有する合成皮革、止着バンド１７は皮革、着脱具１８はマジックテープ（登録商標）等でよい。
【００１０】
図４は膨張時のサポートバックの透視・断面図で、
（イ）は（ハ）図上部エアバックセンター下部の平面断面図
（ロ）は（ハ）図左側エアバックセンターの左側面断面図
（ハ）はカバーを透視した時の平面図
（ニ）は（ハ）図右側エアバックセンターの右側面断面図
（ホ）は（ハ）図下部エアバックセンターの下部断面図である。
図において、３ａは膨張時のエアバック、７’はエア出入り口、２０は上部接着部、２１は底部接着部を示す。
図示したように、エアバック３は上中下左右の区画内に計６ヶ配設されており、その１偶にはエアチューブ７がエア出入り口７’のように固設されている。
そして該エアチューブ７の延長の端部は、後記エア導入調整用の開閉電磁弁及び逆止弁と、排気用の開閉電磁弁に接続され、エア分配器４に収納されている。
また、前記エアバック３は例えば伸縮性のあるゴム状の袋で、その上部はカバー１９に（上部接着部２０）、また底部はサポートバック２の背板１６に（底部接着部２１）接着されている。
さらに、幹線エアチューブ５から分配器コネクタ４’経由開閉電磁弁（後記）からエアチューブ７を通り各のエアバック３に導入されるエアにより、膨張時のエアバック３ａのように膨張し、カバー１９は手前（前方）に凸出する。
この時、エアバック３ａは前記上部接着部２０でカバー１９に、また底部接着部２１でサポートバックの背板１６にそれぞれ接着されているので、ずれが生ずることはない。
【００１１】
図５は縮小時のサポートバックの透視・断面図で、
（イ）は（ハ）図上部エアバックセンター下部の平面断面図
（ロ）は（ハ）図左側エアバックセンターの左側面断面図
（ハ）はカバーを透視した時の平面図
（ニ）は（ハ）図右側エアバックセンターの右側面断面図
（ホ）は（ハ）図下部エアバックセンターの下部断面図である。
図において３ｂは縮小時のエアバックを示す。
図示したように、前記膨張したエアバック３ａは、排気用の開閉電磁弁（後記）によって排気されると縮小したエアバック３ｂのように縮小し、カバー１９は後方に凹む。
この時前記のようにエアバック３ａは上部接着部２０でカバー１９に、また底部接着部２０でサポートバックの背板１６にそれぞれ接着されているので、カバー１９はエアバック３の凹みに追随する。
【００１２】
図４及び図５に示したように、エアバック３は各々を操作によって膨張または縮小できるので、その組み合わせによって所要の凹凸を生成することができる。
例えば、上部の左右２ケを膨張させ、他を縮小させれば前記幼児のバックレストにすることができ、あるいは各個所を特殊体型の患者の背部に合わせて調節することによりフィットさせることができる。
【００１３】
図６はエア分配器の外観斜視図である。
本器は、前記サポートバック２の背面下方に配設される。
図７は操作ボックスの外観斜視図である。
図において、２４はボックス側制御線コネクタ、２５は吊り手、２６、２７、２８、２９、３０、３１はエアバックに対応した２極型ＯＮ、ＯＦＦスイッチ、３２、３３は幹線用ＯＮ、ＯＦＦスイッチを示す。
本器は、前記スピットン１２の側面に吊設して使用する。
【００１４】
図８は、本サポートバックを着設した歯科用治療椅子のブロック図である。
図において、３４、３７、４０、４３、４６、４９、はエア導入調整用の開閉電磁弁、３６、３９、４２、４５、４８、５１は排気用の開閉電磁弁、３５、３８、４１、４４、４７、５０は逆止弁、５２はエア幹線用の開閉電磁弁、５３は過剰圧エア排出器、５４は電源ラインを示す。
【００１５】
サポートバック２内に配設された６ケのエアバック３には、エアチューブ７経由エア出入口７’からエアが出し入れされ膨張または縮小する。
上記エアの操作制御は、次のようにして行われる。
まず、幹線エアチューブ５を操作ボックス６の操作スイッチであるエア幹線用ＯＮ、ＯＦＦスイッチ３２によりエア幹線用の開閉電磁弁５２を開きエアを導入する。
次ぎに所要のエアバック３に対応する操作スイッチの２極型ＯＮ、ＯＦＦスイッチを操作する。
【００１６】
例えば、左上方のエアバックであれば、２極型ＯＮ、ＯＦＦスイッチ２６の１極をＯＮにし、エア導入調整用の開閉電磁弁４０を開くと、逆止弁４１を経由し、エアが導入され前記エアバックが膨張する。
限度を超えると、各エアバック３に配設されている例えばバネと弁からなる過剰圧エア排出器５３がリミッターとして作動する。
従って、エアの導入の調節は前記２極型ＯＮ、ＯＦＦスイッチ２６の作動時間に比例する。
また、エアを抜きたい時は、同様に前記２極型ＯＮ、ＯＦＦスイッチの他の１極をＯＮにし、排気用開閉電磁弁４２を開いて外部に排気して調整する。
なお、２極型ＯＮ、ＯＦＦスイッチの中点はＯＦＦで、ボタンから指を放すと自動復帰する。                                                              
【００１７】
上記は１ケのエアバック３の系統の作動について述べたが、他のエアバック３も同様にして、任意に膨張または縮小することができる。
幹線エアチューブ５からのエアの供給を停止する時には、幹線用ＯＮ、ＯＦＦスイッチ３３を押してＯＦＦにし前記開閉電磁弁５２を閉にする。
なお、幹線用ＯＮ、ＯＦＦスイッチ３２、３３は直列とし、３２をＯＮ用、３３をＯＦＦ用とすれば操作が簡単である。
【００１８】
また、本器のサポートバック内のエアバックを調節する動力源のエアは、歯科用治療椅子においてはエアタービン、スリーウェイシリンジ等のハンドピースに使用されるエアが常設されているため、分岐して容易にエアバックに接続することができる。
【図面の簡単な説明】
【００１９】
【図１】サポートバック装着時の歯科用治療椅子の外観斜視図
【図２】サポートバックを背もたれにセットしたときの外観図
【図３】サポートバックの外観図
【図４】膨張時のサポートバックの透視・断面図
【図５】縮小時のサポートバックの透視・断面図
【図６】エア分配器の外観斜視図
【図７】操作ボックスの外観斜視図
【図８】本サポートバックを着設した歯科用治療椅子のブロック図
【符号の説明】
【００２０】
１： サポートバック装着時の歯科用チェアユニット
２：サポートバック                ３：エアバック
３ａ：膨張時のエアバック          ４：エア分配器
４’：分配器コネクタ              ５：幹線エアチューブ
６：操作ボックス                  ７：エアチューブ
７’：エア出入口                  ８：背もたれ
８’：背面板                      ９：ヘッドレスト
１０：座部                        １１：足掛け
１２：スピットン                  １３：ライトポール
１４：アシスタント用テーブル      １５：ブラケットテーブル
１６：サポートバックの背板        １７：止着バンド
１８：着脱具                      １９：カバー
２０：上部接着部
２１：底部接着部                  ２２：制御信号線
２３：制御線コネクタ              ２４：ボックス側制御線コネクタ
２５：吊り手
２６〜３１：２極型のＯＮ、ＯＦＦスイッチ
３２、３３：幹線用ＯＮ、ＯＦＦスイッチ
３４、３７、４０、４３、４６、４９、：エア導入調整用の開閉電磁弁
３６、３９、４２、４５、４８、５１：排気用の開閉電磁弁
３５、３８、４１、４４、４７、５０：逆止弁
５２：エア幹線用の開閉電磁弁      ５３：過剰圧エア排出器
５４：電源ライン
【図１】
0004636304.tif 000002
【図２】
0004636304.tif 000003
【図３】
0004636304.tif 000004
【図４】
0004636304.tif 000005
【図５】
0004636304.tif 000006
【図６】
0004636304.tif 000007
【図７】
0004636304.tif 000008
【図８】
0004636304.tif 000009